(57)【特許請求の範囲】
【請求項１】
旋回可能な回動床の一部に設けられた開口部と、
回動床下面に支持され、この開口部の真下の展開位置から側方の格納位置にかけて回動床下面に沿うようにスライドして移動可能なスライドベースと、
このスライドベース上に設けられた安全蓋と、
このスライドベースに設けられ、この安全蓋を回動床と同レベルまで上昇させる昇降手段と、
このスライドベースを貫通して設けられ、この安全蓋の昇降を案内する案内手段と、
を備えたことを特徴とする安全蓋装置。
【発明の詳細な説明】
【０００１】
【発明の属する技術分野】
本発明は、劇場等の舞台における回動式の床面の一部に形成された可動床のための安全蓋装置の改良に関する。
【０００２】
【従来の技術】
劇場等では、舞台の床面の一部を円形に切り離し、これを中心に対して回動可能な回動床（回り盆）とすることで、舞台の場面を迅速に変更する等の演出効果を上げ得るようになっている。
【０００３】
さらに、このような回動床の一部を上下方向に移動可能な可動床（せり）に形成し、回動床下方に形成した地下室（奈落）から、このせりに乗った俳優や大道具を迫り上げることもできるようになってる。なお、このような地下室には、回動床と一体に形成され、回動床の回動とともに地下室自体も回動するタイプのものと、回動床とは切り離され、回動床はそれ単独で回動するようになっているタイプの２つがある。
【０００４】
さて、このような舞台装置において、せりが奈落へ下がっているときには、せりの場所に奈落へ通ずる開口部が生じて危険であるので、これを塞ぐための安全蓋装置が設置される。
【０００５】
これは例えば図９に示すようなものである。
【０００６】
これについて説明すれば、図に示すように、回動床１にはせり２が迫り上がって来るための開口部３が形成されている。ここで、この回動床１はモータ４に駆動され、回転中心１ａを中心として旋回可能に形成されている。
【０００７】
さて、この開口部３は、せり２により塞がれていないときには、安全蓋４１により閉鎖されるようになっている。この安全蓋４１は、開口部３に接して連結ピン４２を介して回動可能に軸支されており、図中実線で示した閉鎖位置と図中想像線で示した開放位置の間で、ドアのようなスイング式に開閉し得るようになっている。
【０００８】
この安全蓋４１の開閉は、回転床１下方に連結ピン４３を介して回動可能に連結されたアクチュエータ４４によって駆動される。すなわち、このアクチュエータ４４のピストンロッド４６の先端部が、安全蓋４１に連結ピン４５を介して軸支されることにより、油圧シリンダ４４の伸長時には安全蓋４１は押し出され閉鎖位置を採る一方、油圧シリンダ４４の収縮時には安全蓋４１を引き込んで開放位置を採らせるようになっている。
【０００９】
また、この図９と同じような回動床１に用いられる安全蓋装置としては、図１０に示すようなものもある。
【００１０】
これによれば、安全蓋５１は開口部３の下方に設けられ、両側に配置した駆動チェーン５２により水平方向に駆動されることにより、図中想像線で示した格納位置から、実線で示した展開位置に引き出されて、開口部３下方を塞ぐようになっている。
【００１１】
【発明が解決しようとする課題】
ところで、このような従来の安全蓋装置にはつぎのような不都合がある。
【００１２】
すなわち、図９に示すものは、安全蓋４１が下方に開く構造であるので、安全蓋４１上に人や物が乗っているのに気がつかず蓋を開くと、人や物がいきなり斜めに滑り落ちてしまう恐れがある。
【００１３】
また、安全蓋４１は円弧を描いて開閉されるため、開閉動作に時間がかかってしまい、また、特に前述した回動床が独立して回転するタイプのものでは、安全蓋装置の小型軽量化が求められるが、このような安全蓋４１のスイング動作のためには、大型のアクチュエータ４４が必要なこともあり、安全蓋装置が大型化してしまう。
【００１４】
一方、図１０に示すものによれば、装置の小型化がはかれ、開閉時間も短くてすみ、また低コスト化もはかれるが、開口部３を閉鎖したとしても安全蓋５１と床面１の間には段差が生じてしまうので、この段差を解消するためには、安全蓋５１の上にさらにポータブル型の安全蓋を運搬して来て乗せる必要があり、この作業はめんどうであり、演出にも制約を与えてしまう。
【００１５】
本発明は、このような問題点に着目して、回動床に設けられたせりにおいて用いられ、装置の小型化がはかりうるとともに、舞台演出効果および安全性を向上させた安全蓋装置を提供することを目的とする。
【００１６】
【課題を解決するための手段】
本発明は、旋回可能な回動床の一部に設けられた開口部と、回動床下面に支持され、この開口部の真下の展開位置から側方の格納位置にかけて回動床下面に沿うようにスライドして移動可能なスライドベースと、このスライドベース上に設けられた安全蓋と、このスライドベースに設けられ、この安全蓋を回動床と同レベルまで上昇させる昇降手段と、このスライドベースを貫通して設けられ、この安全蓋の昇降を案内する案内手段とを備えた。
【００１７】
【作用】
本発明では、安全蓋による開口部の閉鎖時には、安全蓋が昇降手段により昇降させられることで回動床と同一レベルまで上昇するので、回動床の一平面への仕上げを迅速かつ容易に行うことができ、このように平面状に仕上げられた回動床により、高い舞台演出効果および安全性が得られる。
【００１８】
また開口部の開放時には、昇降手段による安全蓋の引き下げおよびスライドベースのスライドによる安全蓋の格納を迅速かつ容易に行うことができ、また、このとき安全蓋は格納前にいったん下降をするため、安全蓋の上に乗っていた人は危険を察知することができ、開口部からの落下を未然に防止することができる。
【００１９】
【発明の実施の形態】
以下、添付図面に基づいて、本発明の実施の形態について説明する。
【００２０】
図１に示すように、回動床１にはせり２が迫り上がって来るための開口部３が形成されている。また、この回動床１は下方の地下室（奈落）と独立しており、回動床１のみが回転中心１ａを中心としてモータ４により旋回可能であるように構成されている。
【００２１】
せり２が下がっているときに開口部３を閉塞するため、回動床１の下面に沿って移動し、かつ開口部３において回動床１と同一面まで上昇する安全蓋１１が設けられる。
【００２２】
この安全蓋１１は、回動床１の下面と平行に移動するスライドベース１０上に取り付けられており、また、ネジジャッキ３０によって上方に持ち上げられるようになっている。すなわち、実線で示した展開位置まで移動された後、この展開位置の上方に想像線で示した閉鎖位置にまで、ジャッキ３０によってジャッキアップされるようになっている。
【００２３】
図２から図５にはこの安全蓋装置を詳細に示してある。
【００２４】
図２は、スライドベース１０が格納位置にあるときの様子を上方から見た平面図である。これに示すように、図中央の長方形の枠組みからなるスライドベース１０は、この格納位置と図３に示す展開位置（図２の右側となる）とを取り囲むように固定される固定フレーム２０の長方形の枠組みの内部に配設される。
【００２５】
一方、図３は開口部３下方（スライドベース１０の展開位置）付近を示している。この図では図示されないスライドベース１０が展開位置まで移動して来ており、このスライドベース１０の上に支持された安全蓋１１が、展開位置において固定フレーム２０の内側に配設されている。なお、この安全蓋１１は、開口部３の形状に応じて、開口部３をちょうど塞ぐ形状（この場合は長方形）に形成されるものである。
【００２６】
さて、これらに図示されるように、スライドベース１０の水平移動方向に対してその両側部付近には、一対のレール２４が固定フレーム２０に設けられる。このレール２４には、スライドベース１０の両側に取り付けられたシュー２５が挟み込むように係合しており（図４、図５参照）、このシュー２５を介して、スライドベース１０はレール２４に沿って固定フレーム２０の内側を水平方向に安定して案内されるようになっている。
【００２７】
一方、スライドベース１０の駆動は、スライドベース１０の両側部付近にレール２４と平行に配設され、その一部においてスライドベース１０側のテンションブラケット２３に結合している一対のチェーン２１の循環によってなされる。この一対のチェーン２１は、それぞれ、固定フレーム２０の格納位置側の駆動側スプロケット２２ａから展開位置側の従動側スプロケット２２ｂへと架け渡されており、一対の駆動側スプロケット２２ａの同調した回転により、同期的に循環するようになっている。このスライドベース１０両側のチェーン２１の同期的な循環より、スライドベース１０は傾くことなく水平移動を行うこととなる。
【００２８】
駆動側スプロケット２２ａの駆動は、固定フレーム２０の格納位置側の端辺に固定されたブレーキ付モータ２６により、このモータ２６から両側の駆動側スプロケット２２ａへと延びる一対のユニバーサルジョイント２７を同期的に回転駆動し、このユニバーサルジョイント２７先端に接続された駆動側スプロケット２２ａが回転することによりなされる。
【００２９】
スライドベース１０の上方には、図２には図示されない安全蓋１１がネジジャッキ３０を介して、スライドベース１０と平行に支持される。このネジジャッキ３０は、後述するように、ユニバーサルジョイント３１を介してモータ３２により駆動され、安全蓋１１を上方に持ち上げるようになっている。
【００３０】
なお、固定フレーム２０の格納位置側および展開位置側の端辺には、それぞれリミットスイッチ２８および複数のダンパ２９が設けられている。これにより、スライドベース１０が格納位置または展開位置に達したときには、リミットスイッチ２８がこれを感知することによりスライドベース１０が行き過ぎを防止するとともに、ダンパ２９がスライドベース１０の運動による衝撃を緩和するようになっている。
【００３１】
安全蓋１１のジャッキアップ機構については、図４、図５に詳細に示す。
【００３２】
これらに図示されるように、ネジジャッキ３０は図４の左断面側と図５の右断面側にそれぞれ設けられ、上下の軸方向に昇降可能なロッド３０ａの先端に安全蓋１１を支持している。
【００３３】
この一対のネジジャッキ３０には、ユニバーサルジョイント３１を介してモータ３２の回転が伝達されるようになっており、この回転は、ネジジャッキ３０内の図示されないギアを介してロッド３０ａの軸方向の昇降運動へと変換される。このとき、ユニバーサルジョイント３１によるモータ３２の回転の伝達は、左右のネジジャッキ３０に対して同調してなされるので、一対のロッド３０ａは同期的に昇降し、ロッド３０ａ上に支持される安全蓋１１はスライドベース１０および回動床１に対して水平を保ちながら昇降することとなる。
【００３４】
安全蓋１１は図中の実線の位置から想像線で示した位置にわたって昇降するが、スライドベース１０のネジジャッキ３０側方には、この昇降を案内するための筒状のブッシュ３５が設けられている。このブッシュ３５は、その軸を鉛直方向に固定されて、スライドベース１０を貫通して設けられているものである。
【００３５】
ブッシュ３５には、安全蓋１１側にガイドプレート３４を介して固定されたガイドバー３３が摺動自由に挿入されている。このガイドバー３３はブッシュ３５の内径よりわずかに小さな径を有するもので、安全蓋１１の昇降時にガイドバー３３がブッシュ３５の内径に接しつつブッシュ３５と同軸的に摺動することにより、安全蓋１１の軌道を安定させる。
【００３６】
さらに、ガイドバー３３の下端部には、ストッパボルト３７を取り付けたストッパプレート３６が設けられる。これにより、安全蓋１１が回動床１と同レベルまでジャッキアップされたときには、図中に想像線で示したように、ストッパボルト３７がスライドベース１０下面に当接するので、安全蓋１１はそれ以上の上昇が制限され、床面１と安全蓋１１の間に段差が生じないようになっている。
【００３７】
つぎに作用を説明する。
【００３８】
図６から図８にかけては、回動床（回り盆）１、安全蓋１１、せり（小迫り）２のそれぞれの動作状態を示してある。
【００３９】
図６に示すように、回動床１が旋回するときには、スライドベース１０は展開位置にあり、安全蓋１１は回動床１と同レベルまでジャッキアップされている。したがって、回動床１は安全蓋１１の場所も含めて一平面となっており、演出に支障を来すことは無く、また、舞台の安全性も向上する。なお、回動床１は、位置固定のための盆位置決めピン５を外すことにより旋回可能とされ、この旋回時にはせり２は回動床１下方に格納されている。
【００４０】
つぎに図７に示すように、せり２が上昇するときには、回動床１は所定の位置に固定されており、安全蓋１１はスライドベース１０の展開位置まで引き降ろされた後、スライドベース１０とともに回動床１下面の格納位置へと収納される。このようにして開かれた開口部３に対してせり２が上昇して来ることとなる。なお、せり２は開口部３において閂６により固定される。
【００４１】
安全蓋１１は格納される前に、いったんスライドベース１０の展開位置まで下降してから格納位置へと引き込まれるので、格納時に安全蓋１１上に人や物が乗っていたとしてもそのまま奈落へ滑り落ちてしまうことは無く、安全蓋１１上の人はこの安全蓋１１の下降に気がつくことにより、落下を未然に防止できる。
【００４２】
また、図８に示すように、せり２の下降後には、再びスライドベース１０が展開位置まで引き出され、安全蓋１１がこの展開位置からジャッキアップされ、回動床１が同一平面に形成される。
【００４３】
以上のように、安全蓋１１の展開および格納時に、スライドベース１０は横方向にスライドし、また安全蓋１１は回動床１とスライドベース１０間をジャッキ３０により直ちに昇降し得るので、従来のようにスイング式の安全蓋を用いたり、ポータブル型の安全蓋を継ぎ足したりするのに比べて、これら一連の作業による回動床１全面の仕上げおよびせり２の迫り出しを迅速かつ容易に行うことができ、ポータブル型の安全蓋の運搬等の手間も無くなる。
【００４４】
【発明の効果】
本発明によれば、安全蓋による開口部の閉鎖時には、安全蓋が昇降手段を介して回動床と同一レベルまで上昇し、回動床の一平面への仕上げを迅速かつ容易に行うことができ、このように平面状に仕上げられた回動床により、高い舞台演出効果および安全性が得られるとともに、開口部の開放時には、昇降手段による安全蓋の引き下げおよびスライドベースのスライドによる安全蓋の格納を迅速かつ容易に行うことができ、また、このとき安全蓋は格納前にいったん下降をするため、安全蓋の上に乗っていた人は危険を察知することができ、開口部からの落下を未然に防止することができる。
【図面の簡単な説明】
【図１】本発明の実施の形態を示す側面図である。
【図２】同じく一部平面図である。
【図３】同じく一部平面図である。
【図４】同じく一部正面図である。
【図５】同じく一部正面図である。
【図６】同じく動作の様子を示す説明図である。
【図７】同じく動作の様子を示す説明図である。
【図８】同じく動作の様子を示す説明図である。
【図９】従来例を示す側面図である。
【図１０】他の従来例を示す側面図である。
【符号の説明】
１  回動床
２  せり
３  開口部
１０  スライドベース
１１  安全蓋
３０  ネジジャッキ
【図１】
0003688054.tif 000002
【図２】
0003688054.tif 000003
【図３】
0003688054.tif 000004
【図４】
0003688054.tif 000005
【図５】
0003688054.tif 000006
【図６】
0003688054.tif 000007
【図７】
0003688054.tif 000008
【図８】
0003688054.tif 000009
【図９】
0003688054.tif 000010
【図１０】
0003688054.tif 000011